(57)【要約】【課題】筐体を小さくすることができ、複数台のネットワーク環境監視装置がある場合に複数設置されたカメラの画像の取り込みや制御をどのネットワーク環境監視装置からも行うことができ、ネットワーク環境監視装置とカメラとの距離に制限がなく、多数のラックを監視する際にカメラとネットワーク環境監視装置の必要台数を減らすことができるネットワーク環境監視装置を提供する。【解決手段】ネットワーク環境監視装置２は、複数設置されたラック１に夫々設けられたセンサの信号を受け、ネットワークを介して接続した複数のネットワークカメラ５によってラック１を選択的に撮影して監視する。【選択図】　　　　図１
2004064145.tif 000002
【特許請求の範囲】
【請求項１】
通信機器等を収納するラックの温度、湿度、ドアの開閉状態等を監視するネットワーク環境監視装置において、複数設置された前記ラックに夫々設けられたセンサの信号を受け、ネットワークを介して接続した複数のネットワークカメラによって前記ラックを選択的に画像監視することを特徴とするネットワーク環境監視装置。
【発明の詳細な説明】
【０００１】
【発明の属する技術分野】
本発明は、通信機器を収納するラックの温度、湿度、ドアの開閉状態等を監視するネットワーク環境監視装置に関する。
【０００２】
【従来の技術】
従来、図３に示すように通信機器等を収納するラック１１の温度、湿度、ドアの開閉状態等を監視するネットワーク環境監視装置１２は、ビデオ信号出力のアナログカメラ１５を接続し、ネットワーク環境監視装置内にデジタル変換回路１９と、アナログカメラ１５の操作制御をするためのＲＳ２３２Ｃ等のコンソール２０と、接点入力部１７とを備え、複数設置されたラック１１に夫々設けた開閉センサ１８からの信号を接点入力部１７が受け、ラック１１の扉を開閉した人物を撮影し、ネットワーク環境監視装置１２からＬＡＮケーブル１３とＨＵＢ１４等を用いたネットワークを介して接続されたパソコン１６によりネットワーク環境監視装置１２に保存された画像を見るようになっていた。
【０００３】
【発明が解決しようとする課題】
従って、従来のネットワーク環境監視装置１２は、デジタル変換回路１９とコンソール２０を備えるために筐体が大きくなってしまうし、複数台のネットワーク環境監視装置１２がある場合でも複数設置されたカメラ１５の画像の取り込みや制御は、カメラ１５が接続されたネットワーク環境監視装置１２でしか行うことができず、ネットワーク環境監視装置１２とカメラ１５は同軸ケーブル２１やＲＳ２３２Ｃケーブル２２等で接続されているので１００ｍ程度しか離して設置することができなかった。また、データセンターでは１列に８〜１６台程度のラックを設置することが多いが、例えば、図４に示すように１列に１０台のラック１１が２列設置された場合、ネットワーク環境監視装置の接点入力部が８点しかないと、ネットワーク環境監視装置には１台のアナログカメラしか接続できないため、各列の８台のラック１１は第１ネットワーク環境監視装置１２ａと第２ネットワーク環境監視装置１２ｂに夫々接続され、各列の残りの２台のラック１１は第３ネットワーク環境監視装置１２ｃと第４ネットワーク環境監視装置１２ｄに接続され、各ネットワーク環境監視装置１２ａ〜１２ｄにアナログカメラ１５ａ〜１５ｄが接続されるので合計４台のネットワーク環境監視装置と４台のアナログカメラが必要になっていた。
【０００４】
そこで上記問題点に鑑み、本発明の目的は、筐体を小さくすることができ、複数台のネットワーク環境監視装置がある場合に複数設置されたカメラの画像の取り込みや制御をどのネットワーク環境監視装置からも行うことができ、ネットワーク環境監視装置とカメラとの距離に制限がなく、多数のラックを監視する際にカメラとネットワーク環境監視装置の必要台数を減らすことができるネットワーク環境監視装置を提供することである。
【０００５】
【課題を解決するための手段】
上記目的を達成するために、通信機器等を収納するラックの温度、湿度、ドアの開閉状態等を監視するネットワーク環境監視装置において、複数設置されたラックに夫々設けられたセンサの信号を受け、ネットワークを介して接続した複数のネットワークカメラによってラックを選択的に画像監視することを特徴とする。
【０００６】
【発明の実施の形態】
ネットワーク環境監視装置は、複数設置されたラックに夫々設けられたセンサの信号を受け、ネットワークを介して接続した複数のネットワークカメラによってラックを選択的に撮影して監視する。
【０００７】
【実施例】
本発明に係るネットワーク環境監視装置の実施例を図１及び図２の添付図面に基づいて説明する。
【０００８】
図１に示すように通信機器等を収納するラック１の温度、湿度、ドアの開閉状態等を監視するネットワーク環境監視装置２は、ＬＡＮケーブル３とＨＵＢ４等を用いたネットワークを介してネットワークカメラ５と接続される。また、ネットワークカメラ５の映像を見るためにＨＵＢ４からＬＡＮケーブル３によりパソコン６に接続されている。
【０００９】
ネットワークカメラ５により複数設置されたラック１の扉を開閉した人物を撮影するために、ネットワーク環境監視装置２に設けられた接点入力部７に各ラック１に設けた扉の開閉センサ８からの出力信号が入力されるように接続する。
【００１０】
例えば、図２に示すように１列に１０台のラック１が２列設置された場合、ネットワーク環境監視装置の接点入力部が８点しかないと、各列の８台のラック１は第１ネットワーク環境監視装置２ａと第２ネットワーク環境監視装置２ｂに夫々接続される。ネットワーク環境監視装置は接点の入力番号により、ネットワークカメラを選定してラック１の画像を受信することができるため、各列の残りの２台ずつのラック１は第３ネットワーク環境監視装置２ｃに接続される。
【００１１】
ネットワーク環境監視装置２ａ〜２ｃはネットワークに接続されたネットワークカメラであればどれでも画像を取り込むことができるし、制御することもできるので各列に１台のネットワークカメラ５ａ，５ｂが設置される。このように、従来例と同状況でネットワーク環境監視装置１台とカメラ２台を減らすことができる。
【００１２】
尚、ネットワーク環境監視装置２とネットワークカメラ５はネットワークで接続されていれば良いので距離の制限はない。
【００１３】
【発明の効果】
以上説明したように通信機器等を収納するラックの温度、湿度、ドアの開閉状態等を監視するネットワーク環境監視装置において、複数設置されたラックに夫々設けられたセンサの信号を受け、ネットワークを介して接続した複数のネットワークカメラによってラックを選択的に画像監視することにより、デジタル変換回路とコンソールを筐体内に必要としないので筐体を小さくすることができ、複数台のネットワーク環境監視装置がある場合に複数設置されたカメラの画像の取り込みや制御をどのネットワーク環境監視装置からも行うことができ、ネットワーク環境監視装置とカメラとの距離に制限がなく、多数のラックを監視する際にカメラとネットワーク環境監視装置の必要台数を減らすことができるという効果がある。
【図面の簡単な説明】
【図１】本発明のネットワーク環境監視装置のブロック図である。
【図２】本発明のネットワーク環境監視装置の使用例を示す図である。
【図３】従来のネットワーク環境監視装置のブロック図である。
【図４】従来のネットワーク環境監視装置の使用例を示す図である。
【符号の説明】
１　　ラック
２　　ネットワーク環境監視装置
３　　ＬＡＮケーブル
４　　ＨＵＢ
５　　ネットワークカメラ
６　　パソコン
【図１】
2004064145.tif 000003
【図２】
2004064145.tif 000004
【図３】
2004064145.tif 000005
【図４】
2004064145.tif 000006